(57)【要約】【課題】カード情報が不正に偽造された場合などにおける被害の防止を可能とする記録媒体情報一括管理変更システムおよび記録媒体情報一括管理変更方法を提供する。【解決手段】カード情報一括管理装置１０は、暗証番号とカード情報とを顧客管理システム４０に送信する。顧客管理システム４０は、暗証番号の認証を行い、その結果暗証番号が正当であった場合、カード情報に含まれるＩＤ情報を書き換えてカード情報一括管理装置１０に送信する。カード情報一括管理装置１０は、自装置に記録されているカード情報を、顧客管理システム４０から受信したカード情報に更新する。【選択図】        図１
2004334716.tif 000002
【特許請求の範囲】
【請求項１】
記録されている記録情報の読み取りまたは書き出しを行う際に前記記録情報に含まれるＩＤ情報の認証が必要な各記録媒体の情報を１以上管理し、前記ＩＤ情報の認証処理を行う顧客管理システムと、該顧客管理システムとネットワークを介して接続可能であり、自装置に記録されている前記記録情報を書き出し用記録媒体に書き出して代用の前記記録媒体を作成する記録媒体情報一括管理装置と、を有する記録媒体情報一括管理変更システムであって、
前記記録媒体情報一括管理装置は、
１以上の前記記録媒体から読み取った記録情報をそれぞれ識別情報ごとに記録する媒体情報記録手段と、
前記媒体情報記録手段により記録されている記録情報と、該記録情報に含まれるＩＤ情報の変更要求とを前記顧客管理システムに送信する媒体情報送信手段と、
前記媒体情報記録手段により記録された記録情報を、前記顧客管理システムから受信した記録情報に更新する媒体情報更新手段とを有し、
前記顧客管理システムは、
前記記録媒体情報一括管理装置から受信した記録情報に含まれるＩＤ情報を異なる内容に書き換えるＩＤ情報更新手段と、
前記ＩＤ情報更新手段によりＩＤ情報が書き換えられた記録情報を前記記録媒体情報一括管理装置に送信する更新情報送信手段と、
を有することを特徴とする記録媒体情報一括管理変更システム。
【請求項２】
前記顧客管理システムは、
前記自システムが管理する記録情報に含まれるＩＤ情報を、前記ＩＤ情報更新手段により書き換えられたＩＤ情報に更新する管理情報更新手段を有することを特徴とする請求項１記載の記録媒体情報一括管理変更システム。
【請求項３】
前記記録媒体情報一括管理装置は、
暗証情報を入力し、前記顧客管理システムに送信する暗証情報送信手段を有し、
顧客管理システムは、
前記記録媒体ごとに暗証情報を記録する暗証情報記録手段を有し、
前記ＩＤ情報更新手段は、
前記暗証情報記録手段により記録されている暗証情報と、前記暗証情報送信手段により送信された暗証情報とが一致した場合、前記ＩＤ情報を書き換えることを特徴とする請求項１または２記載の記録媒体情報一括管理変更システム。
【請求項４】
前記更新情報送信手段は、
前記暗証情報記録手段により記録されている暗証情報と、前記暗証情報送信手段により送信された暗証情報とが一致しなかった場合、前記ＩＤ情報を書き換えないまま前記記録情報を前記記録媒体情報一括管理装置に送信することを特徴とする請求項３記載の記録媒体情報一括管理変更システム。
【請求項５】
前記記録媒体情報一括管理装置は、
前記媒体情報記録手段により記録された記録情報と、前記顧客管理システムから受信した記録情報とが一致した場合、前記暗証情報入力手段により入力された暗証情報が誤っている旨のメッセージを表示する認証結果表示手段を有することを特徴とする請求項４記載の記録媒体情報一括管理変更システム。
【請求項６】
記録されている記録情報の読み取りまたは書き出しを行う際に前記記録情報に含まれるＩＤ情報の認証が必要な各記録媒体の情報を１以上管理し、前記ＩＤ情報の認証処理を行う顧客管理システムと、該顧客管理システムとネットワークを介して接続可能であり、自装置に記録されている前記記録情報を書き出し用記録媒体に書き出して代用の前記記録媒体を作成する記録媒体情報一括管理装置と、を用いた記録媒体情報一括管理変更方法であって、
前記記録媒体情報一括管理装置が、１以上の前記記録媒体から読み取った記録情報をそれぞれ識別情報ごとに記録する媒体情報記録工程と、
前記記録媒体情報一括管理装置が、前記媒体情報記録工程により記録した記録情報と、該記録情報に含まれるＩＤ情報の変更要求とを前記顧客管理システムに送信する媒体情報送信工程と、
前記顧客管理システムが、前記記録媒体情報一括管理装置から受信した記録情報に含まれるＩＤ情報を異なる内容に書き換えるＩＤ情報更新工程と、
前記顧客管理システムが、前記ＩＤ情報更新工程によりＩＤ情報を書き換えた記録情報を前記記録媒体情報一括管理装置に送信する更新情報送信工程と、
前記記録媒体情報一括管理装置が、前記媒体情報記録工程により記録した記録情報を、前記顧客管理システムから受信した記録情報に更新する媒体情報更新工程とを有することを特徴とする記録媒体情報一括管理変更方法。
【請求項７】
前記顧客管理システムが、前記自システムが管理する記録情報に含まれるＩＤ情報を、前記ＩＤ情報更新工程により書き換えたＩＤ情報に更新する管理情報更新工程を有することを特徴とする請求項６記載の記録媒体情報一括管理変更方法。
【請求項８】
前記記録媒体情報一括管理装置が、暗証情報を入力し、前記顧客管理システムに送信する暗証情報送信工程と、
前記顧客管理システムが、前記記録媒体ごとに暗証情報を記録する暗証情報記録工程とを有し、
前記ＩＤ情報更新工程は、
前記顧客管理システムが、前記暗証情報記録工程により記録された暗証情報と、前記暗証情報送信工程により送信された暗証情報とが一致したと判断した場合、前記ＩＤ情報を書き換えることを特徴とする請求項６または７記載の記録媒体情報一括管理変更方法。
【請求項９】
前記更新情報送信工程は、
前記顧客管理システムが、前記暗証情報記録工程により記録された暗証情報と、前記暗証情報送信工程により送信された暗証情報とが一致しなかったと判断した場合、前記ＩＤ情報を書き換えないまま前記記録情報を前記記録媒体情報一括管理装置に送信することを特徴とする請求項８記載の記録媒体情報一括管理変更方法。
【請求項１０】
前記記録媒体情報一括管理装置が、前記媒体情報記録工程により記録した記録情報と、前記顧客管理システムから受信した記録情報とが一致したと判断した場合、前記暗証情報入力工程により入力した暗証情報が誤っている旨のメッセージを表示する認証結果表示工程を有することを特徴とする請求項９記載の記録媒体情報一括管理変更方法。
【発明の詳細な説明】
【０００１】
【発明の属する技術分野】
本発明は、記録媒体情報一括管理変更システムおよび記録媒体情報一括管理変更方法に関し、特に、記録媒体の情報に含まれる所定の情報の変更を行う記録媒体情報一括管理変更システムおよび記録媒体情報一括管理変更方法に関する。
【０００２】
【従来の技術】
現代は、コンビニでも現金を引き出せるキャッシュカードや、キャッシュレスで買い物の支払いができるクレジットカード等、磁気などにより情報が記録されたさまざまなカードが活用されるカード社会となっている。
【０００３】
このようなカードを管理するための従来技術として、特許文献１が開示するところのカード情報一括管理装置、記録媒体、および使用方法があった。特許文献１では、複数枚のカード情報を不揮発性メモリに書き込んで管理し、書き出し用磁気カードに書き込んでキャッシュカードなどの代用として使用していた。
【０００４】
また、特許文献２が開示するところの移動通信端末及びカード情報読み取り装置では、ユーザとクレジット会社が予め締結しているクレジット契約の属性に関する情報を格納し、クレジット契約情報を磁気ストライプへの書き込みおよび消去を行っていた。
【０００５】
【特許文献１】
特開２００１−１５５１２２号公報
【特許文献２】
特開２００１−１６９３５７号公報
【０００６】
【発明が解決しようとする課題】
しかしながら、クレジットカードのように利用の際に本人確認や暗証番号入力等を必要としないカードの場合、カードの紛失・盗難・偽造によって多大な損害を被る恐れがある。また、キャッシュカードのように本人確認を行うカードの場合には、紛失・盗難・偽造による損害の恐れは少ないが、金融機関への届け出・再発行の手続きの煩わしさ、カードが再発行されるまでの不便さがある。
【０００７】
そして、個人が所有するカードの枚数が増加するにつれて、カード紛失の可能性、紛失が発覚するまでの期間も増加し、損害や手続きの手間も大きくなってしまう。
【０００８】
特許文献１および特許文献２を含む従来技術では、上記のようにカード情報の第三者への漏洩による被害を防止することが困難であった。
【０００９】
本発明は、上記問題点に鑑みてなされたものであり、カード情報が不正に偽造された場合などにおける被害の防止を可能とする記録媒体情報一括管理変更システムおよび記録媒体情報一括管理変更方法を提供することを目的とする。
【００１０】
【課題を解決するための手段】
かかる目的を達成するため、本発明は、記録されている記録情報の読み取りまたは書き出しを行う際に記録情報に含まれるＩＤ情報の認証が必要な各記録媒体の情報を１以上管理し、ＩＤ情報の認証処理を行う顧客管理システムと、顧客管理システムとネットワークを介して接続可能であり、自装置に記録されている記録情報を書き出し用記録媒体に書き出して代用の記録媒体を作成する記録媒体情報一括管理装置と、を有する記録媒体情報一括管理変更システムであって、記録媒体情報一括管理装置は、１以上の記録媒体から読み取った記録情報をそれぞれ識別情報ごとに記録する媒体情報記録手段と、媒体情報記録手段により記録されている記録情報と、記録情報に含まれるＩＤ情報の変更要求とを顧客管理システムに送信する媒体情報送信手段と、媒体情報記録手段により記録された記録情報を、顧客管理システムから受信した記録情報に更新する媒体情報更新手段とを有し、顧客管理システムは、記録媒体情報一括管理装置から受信した記録情報に含まれるＩＤ情報を異なる内容に書き換えるＩＤ情報更新手段と、ＩＤ情報更新手段によりＩＤ情報が書き換えられた記録情報を記録媒体情報一括管理装置に送信する更新情報送信手段と、を有することを特徴とする。
【００１１】
また、本発明によれば、顧客管理システムは、自システムが管理する記録情報に含まれるＩＤ情報を、ＩＤ情報更新手段により書き換えられたＩＤ情報に更新する管理情報更新手段を有することを特徴とする。
【００１２】
また、本発明によれば、記録媒体情報一括管理装置は、暗証情報を入力し、顧客管理システムに送信する暗証情報送信手段を有し、顧客管理システムは、記録媒体ごとに暗証情報を記録する暗証情報記録手段を有し、ＩＤ情報更新手段は、暗証情報記録手段により記録されている暗証情報と、暗証情報送信手段により送信された暗証情報とが一致した場合、ＩＤ情報を書き換えることを特徴とする。
【００１３】
また、本発明によれば、更新情報送信手段は、暗証情報記録手段により記録されている暗証情報と、暗証情報送信手段により送信された暗証情報とが一致しなかった場合、ＩＤ情報を書き換えないまま記録情報を記録媒体情報一括管理装置に送信することを特徴とする。
【００１４】
また、本発明によれば、記録媒体情報一括管理装置は、媒体情報記録手段により記録された記録情報と、顧客管理システムから受信した記録情報とが一致した場合、暗証情報入力手段により入力された暗証情報が誤っている旨のメッセージを表示する認証結果表示手段を有することを特徴とする。
【００１５】
また、本発明は、記録されている記録情報の読み取りまたは書き出しを行う際に記録情報に含まれるＩＤ情報の認証が必要な各記録媒体の情報を１以上管理し、ＩＤ情報の認証処理を行う顧客管理システムと、顧客管理システムとネットワークを介して接続可能であり、自装置に記録されている記録情報を書き出し用記録媒体に書き出して代用の記録媒体を作成する記録媒体情報一括管理装置と、を用いた記録媒体情報一括管理変更方法であって、記録媒体情報一括管理装置が、１以上の記録媒体から読み取った記録情報をそれぞれ識別情報ごとに記録する媒体情報記録工程と、記録媒体情報一括管理装置が、媒体情報記録工程により記録した記録情報と、記録情報に含まれるＩＤ情報の変更要求とを顧客管理システムに送信する媒体情報送信工程と、顧客管理システムが、記録媒体情報一括管理装置から受信した記録情報に含まれるＩＤ情報を異なる内容に書き換えるＩＤ情報更新工程と、顧客管理システムが、ＩＤ情報更新工程によりＩＤ情報を書き換えた記録情報を記録媒体情報一括管理装置に送信する更新情報送信工程と、記録媒体情報一括管理装置が、媒体情報記録工程により記録した記録情報を、顧客管理システムから受信した記録情報に更新する媒体情報更新工程とを有することを特徴とする。
【００１６】
また、本発明によれば、顧客管理システムが、自システムが管理する記録情報に含まれるＩＤ情報を、ＩＤ情報更新工程により書き換えたＩＤ情報に更新する管理情報更新工程を有することを特徴とする。
【００１７】
また、本発明によれば、記録媒体情報一括管理装置が、暗証情報を入力し、顧客管理システムに送信する暗証情報送信工程と、顧客管理システムが、記録媒体ごとに暗証情報を記録する暗証情報記録工程とを有し、ＩＤ情報更新工程は、顧客管理システムが、暗証情報記録工程により記録された暗証情報と、暗証情報送信工程により送信された暗証情報とが一致したと判断した場合、ＩＤ情報を書き換えることを特徴とする。
【００１８】
また、本発明によれば、更新情報送信工程は、顧客管理システムが、暗証情報記録工程により記録された暗証情報と、暗証情報送信工程により送信された暗証情報とが一致しなかったと判断した場合、ＩＤ情報を書き換えないまま記録情報を記録媒体情報一括管理装置に送信することを特徴とする。
【００１９】
また、本発明によれば、記録媒体情報一括管理装置が、媒体情報記録工程により記録した記録情報と、顧客管理システムから受信した記録情報とが一致したと判断した場合、暗証情報入力工程により入力した暗証情報が誤っている旨のメッセージを表示する認証結果表示工程を有することを特徴とする。
【００２０】
【発明の実施の形態】
（実施形態の概要）
本発明の一実施形態におけるカード（記録媒体）情報一括管理変更システムは、記録されている記録情報の読み取りまたは書き出しを行う際に記録情報（カード情報）に含まれるＩＤ情報の認証が必要な各記録媒体（読み取り用カード）の情報を１以上管理し、ＩＤ情報の認証処理を行う顧客管理システムと、顧客管理システムとネットワークを介して接続可能であり、自装置に記録されている記録情報を書き出し用記録媒体（書き出し用カード）に書き出して代用の記録媒体を作成するカード（記録媒体）情報一括管理装置と、を有するものである。
カード情報一括管理装置は、１以上の記録媒体（読み取り用カード）から読み取った記録情報をそれぞれ識別情報ごとに記録し、その記録した記録情報と、その記録情報に含まれるＩＤ情報の変更要求とを顧客管理システムに送信する。
顧客管理システムは、カード情報一括管理装置から受信した記録情報に含まれるＩＤ情報を異なる内容に書き換え、その書き換えた記録情報をカード情報一括管理装置に送信する。
カード情報一括管理装置は、自身に記録されている記録情報を、顧客管理システムから受信した記録情報に更新する。
【００２１】
このように、本実施形態におけるカード情報一括管理装置は、キャッシュカードやクレジットカード等の複数種類のカード情報を一括管理することにより、各種カードを利用する際の利便性の向上を実現するものである。
また、カード情報一括管理装置は、キャッシュカード等のカード情報（ＩＤ情報）を随時変更する事で、カード偽造による被害を防止するものである。
【００２２】
（実施形態の構成）
図１は、本発明の一実施形態におけるカード情報一括管理変更システムの構成を示す図である。
図１に示されているように、カード情報一括管理変更システムは、カード情報一括管理装置１０と、顧客管理システム４０と、ネットワーク１１と、書き出し用カード３１と、読み取り用カード３２とを有する。
カード情報一括管理装置１０は、ネットワーク１１を介して顧客管理システム４０と接続されている。ネットワーク１１は例えば電話網であってもよい。
【００２３】
カード情報一括管理装置１０は、金融機関のキャッシュカードまたはクレジットカードなどの読み取り用カード３２に記録されているカード情報を読み取って自装置内に記録し、その記録したカード情報を書き出し用カード３１に書き込むことにより、複数の読み取り用カード３２を一括管理する携帯可能な情報処理装置である。
【００２４】
図１に示されているように、カード情報一括管理装置１０は、カード情報表示部１と、指紋読取部２と、制御部２１と、操作部２２と、カード情報入出力部２３と、情報記録部２４と、送受信部２５と、音声出力部２６とを有する。
【００２５】
制御部２１は、自身に接続されているカード情報表示部１、指紋読取部２、操作部２２、カード情報入出力部２３、情報記録部２４、送受信部２５、および音声出力部２６を含むカード情報一括管理装置１０の各部位の動作を制御する。制御部２１は、例えばＣＰＵ（Ｃｅｎｔｒａｌ  Ｐｒｏｃｅｓｓｉｎｇ  Ｕｎｉｔ）とそのＣＰＵに処理を実行させるためのプログラムの格納領域からなるとしてもよい。
【００２６】
カード情報表示部１は、書き出し用カード３１および読み取り用カード３２に関するカード情報を表示する部位であって、例えばＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイなどであるとしてもよい。
【００２７】
指紋読取部２は、利用者の指紋を読み取る部位である。
【００２８】
操作部２２は、カード情報一括管理装置１０に情報を入力する部位であって、例えばキー・スイッチなどであるとしてもよい。
【００２９】
カード情報入出力部２３は、書き出し用カード３１および読み取り用カード３２と接続可能であって、接続された書き出し用カード３１に対するカード情報の書き出し処理と、書き出し用カード３１に記録されているカード情報の消去処理と、読み取り用カード３２に記録されているカード情報の読み取り処理とを行う。
【００３０】
情報記録部２４は、各種情報を記録する部位であって、例えばＲＡＭ（Ｒａｎｄｏｍ  Ａｃｃｅｓｓ  Ｍｅｍｏｒｙ）およびＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などにより構成される。
【００３１】
送受信部２５は、接続されているネットワーク１１を介して情報の送受信を行うインタフェースである。
【００３２】
音声出力部２６は、アラーム音などの音声情報を出力する部位であって、例えばスピーカであるとしてよい。
【００３３】
読み取り用カード３２は、例えば金融機関などのキャッシュカード、クレジットカード、デビットカード、プリペイドカード、定期券、乗車券、回数券、または身分証明カードなどの記録媒体であって、カードのＩＤ情報、有効期限情報、口座番号情報、および金額情報などのカード情報（記録情報）が記録されている。
【００３４】
書き出し用カード３１は、カード情報一括管理装置１０により読み取られたカード情報を書き込む記録媒体である。カード情報が書き込まれた書き出し用カード３１は、読み取り用カード３２の代用として使用することができる。
【００３５】
なお、書き出し用カード３１および読み取り用カード３２は、光記録媒体、磁気記録媒体、光磁気記録媒体、または半導体等の記録媒体であるとしてもよい。また、書き出し用カード３１および読み取り用カード３２は、必ずしもカード形状である必要はなく、他の形状であってもよい。
【００３６】
顧客管理システム４０は、各読み取り用カード３２のカード情報を格納および管理する情報処理装置であって、例えばワークステーションなどのハイエンドＰＣであるとしてもよい。
【００３７】
図２は、本発明の一実施形態における情報記録部２４をより詳細に示した図である。以下、図２を用いて、本実施形態における情報記録部２４について詳細に説明する。図２に示されているように、情報記録部２４は、フラッシュメモリＡ１、Ｃｎ、Ｄｎと、メモリＢ１〜Ｂ５とを有する。
フラッシュメモリＡ１は、カード情報一括管理装置１０の保有者の指紋の特徴量を記録する。
メモリＢ１は、指紋読取部２により読み取られた指紋の特徴量を一時的に記録する。
メモリＢ２は、メモリＢ１に記録された指紋の特徴量が連続して一致した回数のカウント値を記録する。
メモリＢ３は、読み取り用カード３２の識別番号ｎを記録する。識別番号ｎは、読み取り用カード３２ごとに定められている特有の識別用の情報であって、その内容は番号に限らず、文字や記号を含むものであってもよい。
メモリＢ４は、操作部２２により入力された暗証番号を一時記録する。
メモリＢ５は、カード情報一括管理装置１０が顧客管理システム４０から受信したカード情報を一時記録する。
フラッシュメモリＣｎは、カード情報入出力部２３により読み取り用カード３２から読み取られたカード情報を記録する。フラッシュメモリＣｎでは、例えばフラッシュメモリＣ１、Ｃ２、Ｃ３・・・といったように、識別番号ごと（読み取り用カード３２カード情報ごと）にカード情報が記録されている。
フラッシュメモリＤｎは、送受信部２５によりネットワーク１１（ＷＥＢ）を介して受信された画面情報を記録する。この画面情報とは、例えばカード情報一括管理装置１０がカード情報の登録・書き出し・変更処理などを行う際に、どの読み取り用カード３２に関する処理であるかなどをカード情報表示部１に表示するための画面情報である。フラッシュメモリＤｎでは、例えばフラッシュメモリＤ１、Ｄ２、Ｄ３・・・といったように、識別番号ごと（読み取り用カード３２カード情報ごと）にカード情報が記録されている。
すなわち、フラッシュメモリＣｎ、Ｄｎの添字ｎ（ｎ＞１）は、メモリＢ３の値とする。
【００３８】
図３の（ａ）は、本発明の一実施形態におけるカード情報一括管理装置１０本体の正面の一例を示す図であり、（ｂ）は、（ａ）に示されるカード情報一括管理装置１０の上面の一例を示す図である。
【００３９】
図３の（ａ）に示されているように、カード情報一括管理装置１０正面には、カード情報表示部１と、指紋読取部２と、カード情報選択ボタン３と、カード情報登録ボタン４と、カード情報書き出しボタン５と、決定ボタン６と、カード取り出しボタン７と、開始ボタン８が設けられている。
カード情報表示部１は、管理しているカードの情報を表示する。
指紋読取部２は、利用者の指紋を読み取る。
カード情報選択ボタン３は、利用するカードを選択するためのボタンである。
カード情報登録ボタン４は、カード情報の登録処理を選択するためのボタンである。
カード情報書き出しボタン５は、カード情報の書き出し処理を選択するためのボタンである。
決定ボタン６は、各処理の実行を決定するためのボタンである。
カード取り出しボタン７は、カード情報一括管理装置１０本体に挿入されているカードを取り出すためのボタンである。
開始ボタン８は、カード情報一括管理装置１０を起動するためのボタンである。
なお、カード情報選択ボタン３、カード情報登録ボタン４、カード情報書き出しボタン５、決定ボタン６、カード取り出しボタン７、および開始ボタン８は、図１の操作部２５として機能するものとしてよい。
【００４０】
また、図３の（ｂ）に示されているように、カード情報一括管理装置１０上面には、書き出し用カード３１または読み取り用カード３２を挿入するカード挿入口９が設けられている。
【００４１】
カード情報一括管理装置１０は、カード挿入口９より挿入した読み取り用カード３２のカード情報を読み取って内部（情報記録部２４）に蓄積して管理し、必要に応じて書き出し用カード３１に書き出して利用する。また、カード情報一括管理装置１０の起動時に、指紋読取部２から入力される指紋情報で利用者を識別し、セキュリティを強化している。
【００４２】
図４は、本発明の一実施形態におけるカード情報一括管理装置１０によるネットワーク１１接続処理を示す図である。
図４に示されているように、カード情報登録時には、カード情報一括管理装置１０は、コネクタ１２を介してネットワーク１１（例えば、電話回線）と接続し、カード情報表示部１に表示する画面情報をネットワーク１１（ＷＥＢ）を介してＷＥＢサーバから取得する。なお、カード情報一括管理装置１０は、ネットワーク１１を介して顧客管理システム４０から画面情報を取得するとしてもよい。また、コネクタ１２は、送受信部２５として機能するとしてもよい。
また、カード情報一括管理装置１０は、コネクタ１２を介してネットワーク１１通信機能を有する携帯端末装置（携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ノートブック型ＰＣなど）と接続することにより、無線でネットワーク１１接続するものとしてもよい。
さらに、カード情報変更時においても、カード情報一括管理装置１０は、同様にネットワーク１１に接続して、カード情報を変更する。
【００４３】
（実施形態の動作）
次に、カード情報一括管理装置の動作について、▲１▼利用者情報登録処理、▲２▼カード情報登録処理、▲３▼カード情報書き出し処理、▲４▼カード情報変更処理の順に説明する。
【００４４】
▲１▼利用者情報登録処理
図５は、本発明の一実施形態におけるカード情報一括管理装置１０による▲１▼利用者情報登録処理の流れを示すフローチャートである。以下、図５に沿って、本実施形態における▲１▼利用者情報登録処理について説明する。
【００４５】
まず、制御部２１は、利用者により開始ボタン８が押下され、▲１▼利用者情報登録処理の開始要求が入力されたか否かを判断する（ステップＳ１０１）。開始ボタン８が押下されていないと判断された場合（ステップＳ１０１／Ｎｏ）、ステップＳ１０１の処理が繰り返される。
【００４６】
開始ボタン８が押下されたと判断された場合（ステップＳ１０１／Ｙｅｓ）、制御部２１は、フラッシュメモリＡ１に利用者情報が登録済みであるか否かを判断する（ステップＳ１０２）。
ここで、利用者情報とは、例えば、指紋の特徴量といったカード情報一括管理装置１０の利用者を識別するための情報であるとしてもよい。
フラッシュメモリＡ１に利用者情報が登録済みであると判断された場合（ステップＳ１０２／Ｙｅｓ）、ステップＳ１１１の処理に移行する。
【００４７】
フラッシュメモリＡ１に利用者情報が登録されていないと判断された場合（ステップＳ１０２／Ｎｏ）、制御部２１は、メモリＢ１、Ｂ２の値を「０」に、メモリＢ３の値を「１」にする（ステップＳ１０３）。
ここで、「メモリＢ１＝０」とは、メモリＢ１に一時記録されていた指紋の特徴量をクリア（消去）したことを示す。
「メモリＢ２＝０」とは、メモリＢ２のカウント値を「０」にクリアしたことを示す。
【００４８】
次に、指紋読取部２に利用者の指が押し当てられた状態で決定ボタン８が押下された時、指紋読取部２は指紋の特徴量を抽出する（ステップＳ１０４）。
【００４９】
ここで、制御部２１は、抽出された指紋の特徴量がメモリＢ１に記録されている指紋の特徴量と一致するか否かを判断する（ステップＳ１０５）。このとき、メモリＢ１に指紋の特徴量が記録されていない場合は「一致しない」と判断されるものとする。
【００５０】
抽出された指紋の特徴量とメモリＢ１に記録されている指紋の特徴量とが一致したと判断された場合（ステップＳ１０５／Ｙｅｓ）、制御部２１はメモリＢ２のカウント値を「１」インクリメントする（ステップＳ１０６）。その後、ステップＳ１０９の処理に移行する。
【００５１】
また、指紋の特徴量が一致しないと判断された場合（ステップＳ１０５／Ｎｏ）、制御部２１は、抽出された指紋の特徴量をメモリＢ１に書き込む（ステップＳ１０７）。すでにメモリＢ１に指紋の特徴量が記録済みの場合、制御部２１は、メモリＢ１に記録されている指紋の特徴量を、抽出された指紋の特徴量に書き換える。
次に、制御部２１は、メモリＢ２のカウント値を「１」にする（ステップＳ１０８）。
【００５２】
ここで、制御部２１は、メモリＢ２のカウント値がα（１以上の整数）未満であるか否かを判断する（ステップＳ１０９）。
メモリＢ２のカウント値がα未満であると判断された場合（ステップＳ１０９／Ｙｅｓ）、ステップＳ１０４の処理に戻って、再度指紋の特徴量処理が繰り返される。
一方、メモリＢ２のカウント値がα以上であると判断された場合（ステップＳ１０９／Ｎｏ）、現在メモリＢ１に記録されている指紋の特徴量をフラッシュメモリＡ１に記録する（ステップＳ１１０）。その後、ステップＳ１１２の処理に移行する。
このように、情報記録部２４に予め記録されているしきい値αの回数だけ連続して同一の指紋の特徴量が抽出された場合、その抽出された指紋の特徴量が利用者認証用の特徴量としてフラッシュメモリＡ１に記録される。従って、指紋読取部２の読取処理ミスにより不的確な指紋の特徴量が利用者認証用の特徴量として記録されることを抑制することができる。また、操作部２２を用いて、αの値を任意の値に変更することができるとしてもよい。
【００５３】
ここで、指紋読取部２に指紋を押し当てた状態で決定ボタン８が押されると、指紋読取部２は指紋の特徴量を抽出する。制御部２１は、ここで抽出された指紋の特徴量とフラッシュメモリＡ１に記録されている指紋の特徴量とが一致するか否かを判断する（ステップＳ１１１）。
【００５４】
ここで、指紋の特徴量が一致しないと判断された場合（ステップＳ１１１／Ｎｏ）、制御部２１は、カード情報一括管理装置１０を電卓として機能するように制御して（ステップＳ１１３）、処理を終了する。
なお、本実施形態では、カード情報一括管理装置１０は、カード情報を一括管理するといった本来の機能の他に電卓機能を有しているとしたが、他の副次的な機能を有しているとしてもよいし、必ずしも電卓機能のような副次的な機能を有していなくてもよい。
【００５５】
抽出された特徴量がフラッシュメモリＡ１の値と一致した場合（ステップＳ１１１／Ｙｅｓ）、カード情報一括管理装置１０は、押下された各種ボタンに応じた各種処理を実行する（ステップＳ１１２）。
ここでいう各種処理とは、以下の処理を示すものとする。
カード情報登録ボタン４が押された場合、▲２▼カード情報登録処理（Ｓ２０１〜）が行われる。
カード情報書き出しボタン５が押された場合、▲３▼カード情報書き出し処理が行われる。
カード情報登録ボタン４とカード情報書き出しボタン５が同時に押された場合、▲４▼カード情報変更処理が行われる。
【００５６】
▲２▼カード情報登録処理
図６は、本発明の一実施形態におけるカード情報一括管理装置１０による▲２▼カード情報登録処理の流れを示すフローチャートである。以下、図６に沿って、本実施形態における▲２▼カード情報登録処理について説明する。
【００５７】
まず、カード取り出しボタン７が押された時、カード情報一括管理装置１０本体内部に格納している書き出し用カード３１を取り出す（ステップＳ２０１）。
【００５８】
次に、カード情報を登録するカード（読み取り用カード３２）を、カード挿入口９に挿入する（ステップＳ２０２）。
【００５９】
次に、利用者によりカード情報選択ボタン３が押下され、識別番号ｎが指定されると、カード情報表示部１は、フラッシュメモリＤｎに記録されている指定された識別番号ｎの読み取り用カード３２に関する画面情報を表示する（ステップＳ２０３）。カード情報選択ボタン３選択ごとに表示処理を繰り返す。
具体的には、カード情報選択ボタン（右）３が押された場合、メモリＢ３の値を１インクリメントし、カード情報選択ボタン（左）３が押された場合、メモリＢ３の値を１デクリメントし、カード情報表示部１にフラッシュメモリＤｎの内容を表示する。
【００６０】
ここで、カード情報選択ボタン３押下により画面情報を表示した後に決定ボタン６が押されると、制御部２１は、登録する読み取り用カード３２の識別番号ｎが決定された旨を認識する（ステップＳ２０４）。
【００６１】
次に、カード情報入出力部２３は、カード情報一括管理装置１０本体に挿入された読み取り用カード３２のカード情報を読み取って、その読み取ったカード情報を、決定された識別番号ｎに対応するフラッシュメモリＣｎに記録する（ステップＳ２０５）。
【００６２】
また、送受信部２５は、識別番号ｎの読み取り用カード３２に対応する画面情報をネットワーク１１（ＷＥＢ）から取得し、フラッシュメモリＤｎに記録する（ステップＳ２０６）。
【００６３】
カード取り出しボタン７が押されると、カード情報登録済みのカード（読み取り用カード３２）が取り出される（ステップＳ２０７）。
【００６４】
次に、書き出し用カード３１がカード挿入口９から挿入されると、図１のステップＳ１１２の処理に移行する。
【００６５】
▲３▼カード情報書き出し処理
図７は、本発明の一実施形態におけるカード情報一括管理装置１０による▲３▼カード情報書き出し処理の流れを示すフローチャートである。以下、図７に沿って、本実施形態における▲３▼カード情報書き出し処理について説明する。
【００６６】
まず、利用者によりカード情報選択ボタン３が押下され、識別番号ｎが指定されると、カード情報表示部１は、フラッシュメモリＤｎに記録されている指定された識別番号ｎの読み取り用カード３２に関する画面情報を表示する（ステップＳ３０１）。カード情報選択ボタン３選択ごとに表示処理を繰り返す。
具体的には、カード情報選択ボタン（右）３が押された場合、メモリＢ３の値を１インクリメントし、カード情報選択ボタン（左）３が押された場合、メモリＢ３の値を１デクリメントし、カード情報表示部１にフラッシュメモリＤｎの内容を表示する。
【００６７】
ここで、カード情報選択ボタン３押下により画面情報を表示した後に決定ボタン６が押されると、制御部２１は、書き出す読み取り用カード３２の識別番号ｎが決定された旨を認識する（ステップＳ３０２）。
【００６８】
次に、制御部２１は、カード情報入出力部２３に接続されている書き出し用カード３１に、決定された識別番号ｎに対応するフラッシュメモリＣｎに記録されているカード情報を書き出す（ステップＳ３０３）。
【００６９】
ここで、カード取り出しボタン７が押されると、ステップＳ３０３でカード情報を書き出した書き出し用カード３１を取り出す（ステップＳ３０４）。
【００７０】
利用者は、カード情報が書き出された書き出し用カード３１をクレジットカードなどの読み取り用カード３２の代用として使用する。カード情報が書き出された書き出し用カード３１使用時、店舗などに設置されているカードリーダーなどの情報読み取り装置は、書き出し用カード３１のＩＤ情報を読み取って、接続されている顧客管理システム４０に送信する。顧客管理システム４０は、受信したＩＤ情報と自システムに格納されているＩＤ情報とを照合し、一致した場合のみ書き出し用カード３１の使用を許可する旨の情報を情報読み取り装置に返す。情報読み取り装置は、使用を許可する旨の情報を受信した場合のみ、書き出し用カード３１の使用（カード情報の書き出し、読み取りなど）を許可する。
【００７１】
制御部２１は、読み取り用カード３２の代用として使用された利用済みの書き出し用カード３１が、カード挿入口９に再度挿入されているか否か（カード情報入出力部２３に接続されているか否か）を判断する（ステップＳ３０５）。
【００７２】
利用済みの書き出し用カード３１が再度挿入されていると判断された場合（ステップＳ３０５／Ｙｅｓ）、制御部２１は、その利用済みの書き出し用カード３１に記録されているカード情報を消去し、図１のステップＳ１１２の処理に移行する。
【００７３】
利用済みの書き出し用カード３１が再度挿入されていないと判断された場合（ステップＳ３０５／Ｎｏ）、制御部２１は、ステップＳ３０４で書き出し用カード３１が取り出されてから所定時間β以上経過したか否かを判断する（ステップＳ３０６）。
所定時間β以上経過していないと判断された場合（ステップＳ３０６／Ｎｏ）、ステップＳ３０５の処理に戻る。
所定時間β以上経過していないと判断された場合（ステップＳ３０６／Ｙｅｓ）、書き出し用カード３１紛失防止のため、音声出力部２６は、アラーム音を鳴動して（ステップＳ３０７）、ステップＳ３０５の処理に戻る。なお、利用済みの書き出し用カード３１挿入と判断された時点でアラーム音鳴動を停止するようにしてよい。
【００７４】
▲４▼カード情報変更処理
図８は、本発明の一実施形態におけるカード情報一括管理変更システムによる▲４▼カード情報変更処理の流れを示すフローチャートである。以下、図８に沿って、本実施形態における▲４▼カード情報変更処理について説明する。
【００７５】
まず、利用者によりカード情報選択ボタン３が押下され、識別番号ｎが指定されると、カード情報表示部１は、フラッシュメモリＤｎに記録されている指定された識別番号ｎの読み取り用カード３２に関する画面情報を表示する（ステップＳ４０１）。
具体的には、カード情報選択ボタン（右）３が押された場合、メモリＢ３の値を１インクリメントし、カード情報選択ボタン（左）３が押された場合、メモリＢ３の値を１デクリメントし、カード情報表示部１にフラッシュメモリＤｎの内容を表示する。カード情報選択ボタン３選択ごとに表示処理を繰り返す。
【００７６】
次に、カード情報表示部１は、暗証番号の入力を要求するメッセージを表示する（ステップＳ４０２）。
【００７７】
操作部２２は、自身に設けられている数字キー押下により、対応する数値を暗証番号として入力し、メモリＢ４は、その入力された暗証番号を記録する（ステップＳ４０３）。
【００７８】
ここで、カード情報選択ボタン３押下により、本処理でカード情報を変更する読み取り用カード３２の識別番号ｎ選択後に決定ボタン６が押されると、制御部２１は、カード情報を変更する読み取り用カード３２の識別番号ｎが決定された旨を認識する（ステップＳ４０４）。
【００７９】
次に、送受信部２５は、選択された識別番号ｎに対応するフラッシュメモリＣｎに記録されているカード情報とメモリＢ４に記録されている暗証番号を示す情報とを、ネットワーク１１を介して読み取り用カード３２発行元の顧客管理システム４０に送信する（ステップＳ４０５）。
【００８０】
顧客管理システム４０は、カード情報一括管理装置１０からカード情報と暗証番号情報とを受信すると、受信した暗証番号と、自システムが格納する１以上のカード情報のうち受信したカード情報に対応するカード情報に含まれる暗証番号とが一致したか否かを判断する（ステップＳ４０６）。
【００８１】
暗証番号が一致したと判断された場合（ステップＳ４０６／Ｙｅｓ）、顧客管理システム４０は、自システムに格納されているカード情報に含まれる所定の情報（例えばＩＤ情報）を異なるものに書き換える。顧客管理システム４０は、変更したカード情報をカード情報一括管理装置１０に送信する（ステップＳ４０７）。
【００８２】
暗証番号が一致しなかったと判断された場合（ステップＳ４０６／Ｎｏ）、顧客管理システム４０は、カード情報の変更を行わずに、そのまま受信したカード情報と同内容のカード情報をカード情報一括管理装置１０に送信する（ステップＳ４０８）。
【００８３】
送受信部２５が顧客管理システム４０からカード情報を受信すると、制御部２１は、その受信されたカード情報をメモリＢ５に書き込む（ステップＳ４０９）。
【００８４】
次に、制御部２１は、メモリＢ５に記録されているカード情報とフラッシュメモリＣｎに記録されているカード情報とが一致するか否かを判断する（ステップＳ４１０）。
【００８５】
カード情報が一致した（顧客管理システム４０により変更されなかった）と判断された場合（ステップＳ４１０／Ｙｅｓ）、カード情報表示部１は、ステップＳ４０３で入力された暗証番号が誤っている旨のメッセージを表示し（ステップＳ４１１）、図１のステップＳ１１２の処理に移行する。
【００８６】
カード情報が一致しなかった（顧客管理システム４０により変更された）と判断された場合（ステップＳ４１０／Ｎｏ）、制御部２１は、フラッシュメモリＣｎに記録されているカード情報を、メモリＢ５に記録されているカード情報の内容に書き換える（ステップＳ４１２）。その後、図１のステップＳ１１２の処理に移行する。
ここで、カード情報一括管理装置１０および顧客管理システム４０において、カード情報における所定の情報（例えばＩＤ情報）が書き換えられたことにより、以前のカード情報を使用して読み取り用カード３２が提供するサービス（現金引き落としなど）を利用することが不可能となる。このことにより、カード情報が第三者へ漏洩してしまった場合であっても、カード情報を変更することにより、そのカード情報を不正に取得した第三者による悪用を防止することが可能となる。
【００８７】
上記の各ステップにおいて、一定時間γを超えて入力がない場合、カード情報一括管理装置１０の電源をＯＦＦにするものとする。また、カード情報一括管理装置１０の起動時から一定時間δを経過した場合、カード情報一括管理装置１０の電源をＯＦＦにする。このことにより、カード情報一括管理装置１０の電源消費を低減することが可能となる。
なお、上記の定数β、γ、δの関係は、β＜γ＜δとする。
【００８８】
以上説明したように、本実施形態によれば、カード偽造による損害の発生を軽減することが可能となる。その理由は、任意のタイミングでカード情報（ＩＤ情報）を変更することで偽造カードを無効にできるためである。
【００８９】
また、本実施形態によれば、カードの紛失・盗難による損害を軽減することが可能となる。その理由は、カード情報一括管理装置１０の起動時に指紋照合による本人識別を行うことで、仮に装置を紛失しても他人に利用されないためである。
【００９０】
また、本実施形態によれば、カード（読み取り用カード３２）の紛失時の、再発行手続きの手間や再発行されるまでの不便さが発生しないようにすることが可能となる。その理由は、仮にカード情報一括管理装置１０を紛失しても、新しいカード情報一括管理装置１０にカード情報を再登録するだけでよいためである。
【００９１】
また、本実施形態によれば、所有するカード（読み取り用カード３２）が増加しても、利用、管理の手間や紛失の可能性が増加しないようにすることが可能となる。その理由は、複数のカード（読み取り用カード３２）の情報を一台のカード情報一括管理装置１０で一括管理し、必要な時に単一のカード（書き出し用カード３１）に書き出して利用できるためである。
【００９２】
また、本実施形態によれば、カード情報一括管理装置１０は、多数のカード（読み取り用カード３２）のカード情報を登録・管理しておき、あるカード（読み取り用カード３２）を利用したいときは、そのカード情報を繰り返し書き込み可能な書き出し用カード３１に書き出して代用することができる。つまり、オリジナルの多数の読み取り用カード３２は紛失しないように金庫などに保管しておき、カード情報一括管理装置１０のみ携帯することにより、全ての読み取り用カード３２を利用することが可能である。
【００９３】
また、上記の処理は、カード情報一括管理装置１０または顧客管理システム４０が有するコンピュータプログラムにより実行されるが、上記のプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００９４】
なお、上記の実施形態は本発明の好適な実施の一例であり、本発明の実施形態は、これに限定されるものではなく、本発明の要旨を逸脱しない範囲において種々変形して実施することが可能となる。
【００９５】
【発明の効果】
以上説明したように、本発明によれば、記録媒体の偽造による損害の発生を軽減することが可能となる。その理由は、任意のタイミングで記録情報（ＩＤ情報）を変更することで偽造された記録媒体を無効にできるためである。
【図面の簡単な説明】
【図１】本発明の一実施形態におけるカード情報一括管理変更システムの構成を示す図である。
【図２】本発明の一実施形態における情報記録部をより詳細に示した図である。
【図３】（ａ）は、本発明の一実施形態におけるカード情報一括管理装置本体の正面の一例を示す図であり、（ｂ）は、（ａ）に示されるカード情報一括管理装置の上面の一例を示す図である。
【図４】本発明の一実施形態におけるカード情報一括管理装置によるネットワーク接続処理を示す図である。
【図５】本発明の一実施形態におけるカード情報一括管理装置による利用者情報登録処理の流れを示すフローチャートである。
【図６】本発明の一実施形態におけるカード情報一括管理装置によるカード情報登録処理の流れを示すフローチャートである。
【図７】本発明の一実施形態におけるカード情報一括管理装置によるカード情報書き出し処理の流れを示すフローチャートである。
【図８】本発明の一実施形態におけるカード情報一括管理変更システムによるカード情報変更処理の流れを示すフローチャートである。
【符号の説明】
１  カード情報表示部
２  指紋読取部
３  カード情報選択ボタン
４  カード情報登録ボタン
５  カード情報書き出しボタン
６  決定ボタン
７  カード取り出しボタン
８  開始ボタン
９  カード挿入口
１０  カード情報一括管理装置
１１  ネットワーク
１２  コネクタ
２１  制御部
２２  操作部
２３  カード情報入出力部
２４  情報記録部
２５  送受信部
２６  音声出力部
３１  書き出し用カード
３２  読み取り用カード
４０  顧客管理システム
Ａ１、Ｃｎ、Ｄｎ  フラッシュメモリ
Ｂ１〜Ｂ５  メモリ
【図１】
2004334716.tif 000003
【図２】
2004334716.tif 000004
【図３】
2004334716.tif 000005
【図４】
2004334716.tif 000006
【図５】
2004334716.tif 000007
【図６】
2004334716.tif 000008
【図７】
2004334716.tif 000009
【図８】
2004334716.tif 000010